(57)【要約】【課題】  ＤＶＤディスクのセットアップを簡易化する。【解決手段】  ユーザがモードスイッチ６２を数回押し、ディスクセットアップモードのインジケータランプ６２ｄが点灯すると、ディスクセットアップモードが起動する。ユーザは、操作キー６０を用いて、ディスク挿入時の自動初期化の有無、ファイナライズの有無、及びセットアップ後の動作を設定する。メインマイクロコンピュータ６６は、ディスクセットアップモードの設定値をＥＥＰＲＯＭ７０に格納する。新たなＤＶＤディスク４８が挿入されると、メインマイクロコンピュータ６６は、この設定情報に従い、挿入されたＤＶＤディスク４８を処理する。【選択図】  図１
2007293994.tif 000002
【特許請求の範囲】
【請求項１】
記録媒体の種類毎に利用条件を予め設定し記憶する設定手段と、
装填された記録媒体の種類を検知する種類検知手段と、
当該装填された当該記録媒体の種類と、当該利用条件の情報に従い、各部を制御する制御手段
とを具備することを特徴とする記録装置。
【請求項２】
当該利用条件が、未初期化の記録媒体に対する初期化、及び記録フォーマットであることを特徴とする請求項１に記載の記録装置。
【請求項３】
当該記録媒体が光ディスクであり、当該記録フォーマットがＶＤＶ−ＶｉｄｅｏとＤＶＤ−ＶＲであることを特徴とする請求項２に記載の記録装置。
【請求項４】
当該利用条件が、ファイナライズ処理の有無を含むことを特徴とする請求項３に記載の記録装置。
【請求項５】
当該装填時の動作が、初期化処理後のディスク排出と所定動作モードへの移行を含むことを特徴とする請求項１乃至４の何れか１項に記載の記録装置。
【請求項６】
更に、光学像を画像信号に変換する撮像手段を具備することを特徴とする請求項１乃至５の何れか１項に記載の記録装置。
【発明の詳細な説明】
【技術分野】
【０００１】
本発明は、画像データ及び音声データを記録する記録装置に関する。
【背景技術】
【０００２】
近年、ＤＶＤ（Ｄｉｇｉｔａｌ  Ｖｅｒｓａｔｉｌｅ  Ｄｉｓｃ）規格等のディスク状記録媒体を用いた携帯型ビデオカメラが登場している。ＤＶＤ等のディスク状記録媒体は、ランダムアクセスが可能であり、テープ媒体のように早送りや巻戻しのような操作を行うことなく、任意のコンテンツを瞬時に再生できるという利点がある。また、記録時でも、磁気テープのような空き領域の頭出し操作が不要であるので、非常に使い勝手のいいものとなっている。
【０００３】
さらに、ＤＶＤは、４．７ギガバイトの容量を持っており、ＭＰＥＧ２の動画像圧縮符号化処理技術を組み合わせて、従来のＳ−ＶＨＳ程度の高画質映像を約２時間記録することができる。
【０００４】
このようなＤＶＤビデオカメラが特許文献１に記載されている。即ち、特許文献１には、従来、直径１２ｃｍで４．７ギガバイトの容量を実現していたメディアではなく、互換性を保ちつつ、直径８ｃｍで１．４ギガバイトの容量を持つメディアを採用することにより、携帯性のよいビデオカメラを実現している。
【特許文献１】特開２００３−１６３８６７号公報
【発明の開示】
【発明が解決しようとする課題】
【０００５】
ディスク状記録媒体を使用するビデオカメラは、ディスク状記録媒体を入れ替えた時の認識時間が３０秒前後と非常に時間がかかる。ＤＶＤ−ＲＷの場合、新品状態であるとフォーマット操作が必要であるため、こちらにも４０秒前後の時間がかかる。すなわち、新品のＤＶＤ−ＲＷを機器本体に装着してから撮影開始可能となるまでは少なくとも７０秒前後かかることとなる。
【０００６】
さらに、８ｃｍＤＶＤは、容量が１．４ギガバイトと小さく、標準モードで３０分程度の録画時間となる。時間の長いイベントを撮影する場合、頻繁にメディアを入れ替えなければいけない。
【０００７】
従って、撮影現場で新品のＤＶＤ−ＲＷを記録媒体として使用すると、メディア交換の間に撮影チャンスを逃してしまう恐れが出てくる。このようなイベントの前に、使用予定のメディアをあらかじめフォーマットしておけばよいが、それでも、ディスク認識のための時間は避け得ない。
【０００８】
本発明は、上記の問題点に鑑み、ディスク準備を簡単な操作で行える記録装置を提示することを目的とする。
【０００９】
また、ＤＶＤ−ＲＷにＤＶＤ−ＶＲフォーマットで記録する場合、ファイナライズまで行っておくと、記録後すぐに他の（ＤＶＤ−ＶＲフォーマット対応の）再生装置でも再生できるので便利である。
【００１０】
本発明は、ユーザの使用状況に応じた記録媒体を生成する記録装置を提示することを目的とする。
【課題を解決するための手段】
【００１１】
上記の目的を達成するために、本発明に係る記録装置は、記録媒体の種類毎に利用条件を予め設定し記憶する設定手段と、装填された記録媒体の種類を検知する種類検知手段と、当該装填された当該記録媒体の種類と、当該利用条件の情報に従い、各部を制御する制御手段とを具備することを特徴とする。
【発明の効果】
【００１２】
本発明によれば、予め記録媒体の種類に応じた利用条件を設定しておくので、新しい記録媒体を装着したときに、所要の処理が迅速に実行される。これにより、待ち時間を短縮でき、準備処理を迅速に実行できる。
【発明を実施するための最良の形態】
【００１３】
以下、図面を参照して、本発明の実施例を詳細に説明する。
【実施例１】
【００１４】
図１は、本発明の一実施例に係る撮像装置の概略構成ブロック図である。図１において、撮像装置１０は、ＤＶＤ等のディスク状記録媒体を使用するデジタルビデオカメラ又はデジタルビデオカメラ等である。ただし、実線は画像データ又は音声データの流れを示し、破線は制御信号を示す。
【００１５】
撮像装置１０は、撮像レンズ１２、絞り１４、ＣＣＤ撮像素子１６、ＣＤＳ（相関二重サンプリング）／ＡＧＣ（自動利得制御）回路１８、デジタル信号処理回路２０、フレームメモリ２２、画素数調整回路２４、データバス２６、マイクロフォン２８、増幅器３０、Ａ／Ｄコンバータ３２、液晶ディスプレイ３４、液晶ドライバ３６、ＭＰＥＧコーデック３８、ビデオ出力端子４０、ＮＴＳＣエンコーダ４２、ＤＶＤドライブ４４、イジェクトモータ４６、ＤＶＤディスク４８、ＵＳＢ端子５０及びＵＳＢコントローラ５２を具備する。
【００１６】
撮像装置１０は、その制御系として、操作キー６０、モードスイッチ群６２、イジェクトスイッチ６４、メインマイクロコンピュータ（メインマイコン）６６、ＲＡＭ６８、ＥＥＰＲＯＭ７０及び制御バス７２を具備する。
【００１７】
撮影レンズ１２は被写体の光学像を撮像素子１６の撮像面上に結像する。絞り１４は被写体の光量を調節する。ＣＣＤ撮像素子１６は、撮像レンズ１２及び絞り１４による光学像を電気画像信号に変換する。ＣＤＳ／ＡＧＣ回路１８は、撮像素子１４からの画像信号をサンプルホールドし、ノイズを除去し、信号レベルを調整する。デジタル信号処理回路２０は、ＣＤＳ／ＡＧＣ回路１８からの画像信号をアナログ形式からデジタル形式に変換し、カメラで周知の信号処理（例えば、ガンマ補正、色バランス調整、輝度／色分離）等を施す。
【００１８】
フレームメモリ２２は、デジタル信号処理回路２０からのデジタル画像信号をフレーム順に蓄積する。画素数調整回路２４は、フレームメモリ２２に格納される画像データの画素を所定の画素数に調整する。データバス２６は、ＤＭＡコントローラ（不図示）と一体となり、画像データ又は音声データを転送するのに使用される。
【００１９】
マイクロフォン２８は、周囲の音声を取込み、電気音声信号に変換する。増幅器３０は、マイクロフォン２８からの音声信号を適当なレベルまで増幅する。Ａ／Ｄ変換器３２は、増幅器３０のアナログ出力音声信号をデジタル信号に変換する。
【００２０】
液晶ディスプレイ３４は、液晶駆動回路３６により駆動されて、撮影時には、画素数調整回路２４からの画像データ（いわゆるカメラ画像信号）を画像として表示し、再生時には、ＭＰＥＧ２コーデック３８からの画像データ（いわゆる再生画像データ）を画像として表示する。本実施例では、グラフィックベースのＧＵＩ（Ｇｒａｐｈｉｃａｌ  Ｕｓｅｒ  Ｉｎｔｅｒｆａｃｅ）又は文字ベースのＣＵＩ（Ｃｈａｒａｃｔｅｒ−ｂａｓｅｄ  Ｕｓｅｒ  Ｉｎｔｅｒｆａｃｅ）の画面を液晶ディスプレイ３４に表示可能である。
【００２１】
ＭＰＥＧコーデック３８は、ＭＰＥＧ２の圧縮符号化を用い、画素数調整回路２４からの画像データ及びＡ／Ｄ変換器３２からの音声データを圧縮し、ＤＶＤディスク４８から再生された圧縮データを伸長する。他の動画圧縮方式として、Ｍｏｔｉｏｎ  ＪＰＥＧ、ＪＰＥＧ２０００及びＭＰＥＧ４等を利用可能である。
【００２２】
ＮＴＳＣエンコーダ４２は、液晶ディスプレイ３４で画像表示される画像信号をＮＴＳＣ形式のアナログ信号に変換して、ビデオ出力端子４０に出力する。ＤＶＤドライブ４４は、ＭＰＥＧコーデック３２による圧縮データをＤＶＤディスク４８に記録し、またＤＶＤディスク４８に記録される圧縮データを読み出す。
【００２３】
イジェクトモータ４６は、イジェクトスイッチ６４を操作することでＤＶＤドライブ４４のディスク蓋（不図示）のロックを解除し、ＤＶＤディスク４８を取ＤＶＤドライブ４６から排出する。ＤＶＤディスク４８は、ＤＶＤ−Ｒ、ＤＶＤ−ＲＡＭ及びＤＶＤ−ＲＷのいずれかである。
【００２４】
ＤＶＤディスク４８の記録フォーマットには、代表的にはＤＶＤ−ＶｉｄｅｏとＤＶＤ−ＶＲがある。例えば、ＤＶＤディスク４８がＤＶＤ−Ｒである場合、記録フォーマットとしてＤＶＤ−Ｖｉｄｅｏを使用する。ＤＶＤディスク４８がＤＶＤ−ＲＡＭである場合、記録フォーマットとしてＤＶＤ−ＶＲを使用する。ＤＶＤディスク４８がＤＶＤ−ＲＷである場合、記録フォーマットとしてＤＶＤ−Ｖｉｄｅｏ又はＤＶＤ−ＶＲを使用する。詳細な動作は、フローチャートを参照して後述する。
【００２５】
ＵＳＢ端子５０は、ＵＳＢコントローラ５２からのデータを出力する。ＵＳＢコントローラ５２は、メインマイコン６６で指定されたデータ、例えば、ＤＶＤディスク４８から再生された圧縮データを、ＵＳＢ端子５０に出力する。
【００２６】
操作キー６０は後述するモードスイッチ６２とイジェクトスイッチ６４を具備し、撮像装置１０の動作モード等、及び、ＤＶＤドライブ４４からＤＶＤディスク４８の排出をメインマイコン６６に指示するのに使用される。更に、図示していないが、操作キー６０は、撮像スイッチ、記録スイッチ及び再生スイッチを具備し、これらはそれぞれ撮像モード、記録モード及び再生モードで使用される。操作キー６０は十字キーと決定キーを具備し、これらは、各種の選択操作と決定操作に使用される。
【００２７】
メインマイコン６６は、操作キー６０の操作に応じて、撮像装置１０の全体を制御する。メインマイコン６６は、一時的なデータをＲＡＭ６８に保管する。ＥＥＰＲＯＭ７０は不揮発性メモリであり、後述する管理情報（自動初期化、ファイナライズ、セットアップ後の動作）を記憶する。制御バス７２は、メインマイコン６６からの制御信号と操作キー６０からの制御信号を伝送する。
【００２８】
図２を参照して、本実施例の動作モードを説明する。図２はモードスイッチ６２の正面図を示す。モードスイッチ６２はいわゆるトグルスイッチであり、押すたびに、静止画カメラモード、動画カメラモード、再生モード及びディスクセットアップモードが循環する。スイッチ６２の周囲に、静止画カメラモードを示すインジケータランプ６２ａ、動画カメラモードを示すインジケータランプ６２ｂ、再生モードを示すインジケータランプ６２ｃ、及びディスクセットアップモードを示すインジケータランプ６２ｄが配置されている。現在、選択されているモードに対応するインジケータランプ６２ａ，６２ｂ，６２ｃ又は６２ｄが点灯する。図２では、静止画カメラモードのインジケータランプ６２ａが点灯しているので、静止画カメラモードが選択されている。
【００２９】
静止画カメラモードでは静止画像を撮像し、動画カメラモードでは動画像を撮像する。また、再生モードでは、ＤＶＤディスク４８から画像音声データを再生する。ディスクセットアップモードでは、記録媒体として装填されたディスクをセットアップする。ディスクセットアップモードの詳細は、後述する。
【００３０】
撮像装置１０の撮像、記録及び再生の基本動作を説明する。静止画カメラモード又は動画カメラモードでは、撮像レンズ１２は被写体の光学像をＣＣＤ撮像素子１６の撮像面上に結像する。ＣＣＤ撮像素子１６は撮像面上の光学像に対応する被写体の画像信号を出力する。ＣＤＳ／ＡＧＣ回路１８は、ＣＣＤ撮像素子１６からの画像信号のノイズを除去し、画像信号を所定レベルに増幅する。デジタル信号処理回路２０は、ＣＤＳ／ＡＧＣ回路１８の出力画像信号をデジタル信号に変換し、所定のカメラ信号処理の後、順にフレームメモリ２２に記憶する。フレームメモリ２２は、記録順に画像データを画素数調整回路２４に出力する。画素数調整回路２４は、メモリ２２からの画像データの画素数を調整し、データバス２６を介して液晶駆動回路３６に印加する。液晶駆動回路３６は、画素数調整回路２４の出力画像信号に従い液晶ディスプレイ３４を駆動する。これにより、ユーザは、被写体の範囲と構図を確認できる。
【００３１】
記録モードでは、ＭＰＥＧコーデック３８は、画素数調整回路２４からの画像データを圧縮符号化し、圧縮画像データをＤＶＤドライブ４４に転送する。ＤＶＤドライブ４４は、圧縮画像データをＤＶＤディスク４８に記録する。このようにして、撮影された画像の圧縮画像データがＤＶＤディスク４８に格納される。
【００３２】
再生モードでは、ＤＶＤドライブ４４は、ＤＶＤディスク４８から指定の画像の圧縮画像データを読み出し、ＭＰＥＧコーデック３８に転送する。ＭＰＥＧコーデック３８は、ＤＶＤドライブ４４からの圧縮画像データを伸長して画像データを復元する。復元された画像データは、液晶駆動回路３６を介して液晶ディスプレイ３４に印加される。これにより、再生画像が液晶ディスプレイ３４の画面に表示される。
【００３３】
図３乃至図７を参照して、ディスクセットアップモードの動作を説明する。図３はディスクセットアップモードの設定例である。図４及び図５は、ディスク挿入時の動作フローチャートである。図６は設定情報の表示例であり、図７は警告情報の表示例である。
【００３４】
ユーザがモードスイッチ６２を数回押し、ディスクセットアップモードのインジケータランプ６２ｄが点灯すると、ディスクセットアップモードが起動し、図３に示すような設定画面が液晶ディスプレイ３４の画面上に表示される。ユーザは、操作キー６０の十字キー（不図示）及び決定キー（不図示）を用いて、ディスクセットアップモード時の設定値（自動初期化、ファイナライズ、セットアップ後の動作）を設定する。ディスクセットアップモードの設定が終了すると、メインマイコン６６は、ディスクセットアップモードの設定値をＥＥＰＲＯＭ７０に格納する。
【００３５】
図４において、メインマイコン６６は、ＤＶＤディスク４８が撮像装置１０に挿入されたか否かを判別する（Ｓ１０）。ＤＶＤディスク４８が挿入されると（Ｓ１０）、ＤＶＤディスク４８がマウントされ、映像データを読み取り可能か否かが判別される（Ｓ１１）。映像データが読み取り可能であれば（Ｓ１１）、ＤＶＤディスク４８が、ＤＶＤ−Ｒ、ＤＶＤ−ＲＷ及びＤＶＤ−ＲＡＭのいずれであるかが判別される（Ｓ１２）。
【００３６】
ＤＶＤ−Ｒの場合（Ｓ１２）、記録フォーマットがＤＶＤ−Ｖｉｄｅｏになるべきであるので、各パラメータがＤＶＤ−Ｖｉｄｅｏ用にセットされる（Ｓ１３）。ＤＶＤディスク４８がファイナライズ済みのディスクであるか否かが判別される（Ｓ１４）。未ファイナライズであれば（Ｓ１４）、動画カメラモードがセットされ、撮影準備状態になる（Ｓ１５）。ファイナライズ済みであれば（Ｓ１４）、再生モードがセットされる（Ｓ１８）。
【００３７】
ＤＶＤ−ＲＡＭの場合（Ｓ１２）、記録フォーマットがＤＶＤ−ＶＲになるべきであるので、各パラメータがＤＶＤ−ＶＲ用にセットされる（Ｓ１６）。ＤＶＤディスク４８が書き込み禁止であるか否かが判別される（Ｓ１７）。書き込み禁止であれば（Ｓ１７）、再生モードがセットされる（Ｓ１８）。書き込み禁止でなければ、即ち書込みが可能であれば（Ｓ１７）、動画カメラモードがセットされ、撮影準備状態になる（Ｓ１５）。
【００３８】
ＤＶＤ−ＲＷの場合（Ｓ１２）、記録フォーマットがＤＶＤ−ＶｉｄｅｏとＤＶＤ−ＶＲのいずれであるか否かが判別される（Ｓ１９）。ＤＶＤ−Ｖｉｄｅｏであれば（Ｓ１９）、各パラメータがＤＶＤ−Ｖｉｄｅｏ用にセットされる（Ｓ１３）。ＤＶＤディスク４８がファイナライズ済みのディスクであるか否かが判別される（Ｓ１４）。未ファイナライズであれば（Ｓ１４）、動画カメラモードがセットされ、撮影準備状態になる（Ｓ１５）。ファイナライズ済みであれば（Ｓ１４）、再生モードがセットされる（Ｓ１８）。また、ＤＶＤ−ＶＲであれば（Ｓ１９）、各パラメータがＤＶＤ−ＶＲにセットされる（Ｓ１６）。ＤＶＤディスク４８が書き込み禁止であるか否かが判別される（Ｓ１７）。書き込み禁止であれば（Ｓ１７）、再生モードがセットされる（Ｓ１８）。書き込み禁止でなければ、即ち書込みが可能であれば（Ｓ１７）、動画カメラモードがセットされ、撮影準備状態になる（Ｓ１５）。
【００３９】
このように、本実施例では、ＤＶＤディスク４８から映像データを読み込み可能な場合に、ＤＶＤディスク４８の状態に応じて自動的に動画カメラモード又は再生モードにセットされるので、ユーザの手間が大幅に軽減される。動画カメラモードの代わりに静止画カメラモードにしてもよい。
【００４０】
装填されたＤＶＤディスク４８から映像データを読み込みできない場合（Ｓ１１）、ＤＶＤディスク４８がＤＶＤ−Ｒ、ＤＶＤ−ＲＡＭ及びＤＶＤ−ＲＷのいずれであるかを判別する（Ｓ３０）。
【００４１】
ＤＶＤ−Ｒの場合（Ｓ３０）、ステップＳ１３に進み、先に説明したように、ＤＶＤ−Ｖｉｄｅｏ用パラメータにセットされ（Ｓ１３）、ファイナライズ済みか否かに応じて（Ｓ１４）、動画カメラモード又は再生モードがセットされる（Ｓ１５，Ｓ１８）。
【００４２】
ＤＶＤ−ＲＡＭの場合（Ｓ３０）、初期化処理は不要であるため、その旨のメッセージを液晶ディスプレイ３４に表示して（Ｓ３１）、ステップＳ１６に進む。
【００４３】
ＤＶＤ−ＲＷの場合（Ｓ３０）、ディスクセットアップ設定で自動初期化の「する」を設定しているか否かを判別する（Ｓ４０）。自動初期化を実行しない設定の場合（Ｓ４０）、図７に示すように、撮影画像を記録できない旨の警告メッセージが液晶ディスプレイ３４に表示される（Ｓ３２）。
【００４４】
自動初期化を実行する設定の場合（Ｓ４０）、ＥＥＰＲＯＭ７０からＤＶＤディスク４８の使用履歴があるか否かを判別する（Ｓ４１）。
【００４５】
使用履歴がある場合（Ｓ４１）、ＥＥＰＲＯＭ７０から前回の使用履歴を閲覧し、ＤＶＤ−ＶＲとＤＶＤ−Ｖｉｄｅｏのいずれであるかを判別する（Ｓ４２）。ＤＶＤ−ＶＲであれば（Ｓ４２）、ＤＶＤディスク４８をＤＶＤ−ＶＲモードでフォーマットすると共に、撮像装置１０をＤＶＤ−ＶＲモードに設定し（Ｓ４３）、使用履歴としてＤＶＤ−ＶＲの使用がＥＥＰＲＯＭ７０に書き込まれる（Ｓ４４）。他方、ＤＶＤ−Ｖｉｄｅｏであれば（Ｓ４２）、ＤＶＤディスク４８をＤＶＤ−Ｖｉｄｅｏモードでフォーマットすると共に、撮像装置１０をＤＶＤ−Ｖｉｄｅｏモードに設定し（Ｓ４７）、使用履歴としてＤＶＤ−Ｖｉｄｅｏの使用がＥＥＰＲＯＭ７０に書き込まれる（Ｓ４８）。ステップＳ４４，４８によりＥＥＰＲＯＭ７０の使用履歴が更新される。
【００４６】
ＤＶＤ−ＶＲの場合、更に、ディスクセットップ設定でファイナライズの自動実行が設定されているか否かが判別される（Ｓ４５）。実行が設定されている場合（Ｓ４５）、ファイナライズ処理が実行される（Ｓ４６）。具体的には、ＤＶＤディスク４８の特定の管理情報領域に対し、ＶＲモードに対応した仮のファイルシステム情報を記録する。これにより、ＤＶＤ−ＶＲフォーマット対応の再生機器であれば、このＤＶＤディスク４８に記録されたデータを再生することができるようになる。
【００４７】
一方、使用履歴が無い場合（Ｓ４１）、図６に示すＧＵＩ画面が液晶ディスプレイ３４に表示され（Ｓ５０）、ユーザにＤＶＤ−Ｖｉｄｅｏ又はＤＶＤ−ＶＲを選択させる（Ｓ５１）。ユーザがＤＶＤ−ＶＲを選択した場合（Ｓ５１）、ＤＶＤディスク４８をＤＶＤ−ＶＲモードでフォーマットすると共に、撮像装置１０をＤＶＤ−ＶＲモードに設定し（Ｓ４３）、ＥＥＰＲＯＭ７０の使用履歴を更新し（Ｓ４４）、ファイナライズ実行が設定されていれば（Ｓ４５）、ファイナライズも実行する（Ｓ４６）。ユーザがＤＶＤ−Ｖｉｄｅｏモードを選択した場合（Ｓ５１）、ＤＶＤディスク４８をＤＶＤ−Ｖｉｄｅｏモードでフォーマットすると共に、撮像装置１０をＤＶＤ−Ｖｉｄｅｏモードに設定し（Ｓ４７）、ＥＥＰＲＯＭ７０の使用履歴を更新する（Ｓ４８）。
【００４８】
Ｓ４６，Ｓ４８の後、セットアップ後の動作として、カメラモードが設定されていれば、動画カメラモードに移行し（Ｓ１５）、イジェクトが設定されていれば、ＤＶＤディスク４８をＤＶＤドライブ４４から排出する（Ｓ３４）。
【００４９】
このように、本実施例では、装填したＤＶＤディスク４８から画像データを読めない場合で、ＤＶＤディスク４８がＤＶＤ−ＲＷ又はＤＶＤ−ＲＡＭ、即ち書換え可能ディスクのときには、ディスクセットアップ設定に従って初期化するか所定の警告を出力する。フォーマットが何れも、ＤＶＤ−ＶＲモードとＤＶＤ−Ｖｉｄｅｏモードに対応しているので、自機で再生する場合には、再生動作に影響がない。
【００５０】
なお、本実施例では、モードスイッチ６２でディスクセットアップモードを明示的に指定したが、未ファイナライズ処理のＤＶＤディスク４８が装填された場合、自動的にディスクセットアップモードに移行してもよい。
【００５１】
動画記録モード又は静止画記録モードで未フォーマットのＤＶＤディスクが装填された場合、強制的に、履歴又はデフォルトのフォーマット形式で当該ＤＶＤディスクをフォーマットし、記録を続行できるようにしてもよい。
【００５２】
また、内蔵の充電式バッテリを電源として動作している場合には、ディスクセットアップモードに入らず、外部商用交流電力を電源としている場合にのみ、ディスクセットアップモードに入るようにしてもよい。さらに、内蔵の充電式バッテリを電源とする場合には、ディスクセットアップモードにおいて、図１のブロック１２乃至２４及びＭＰＥＧコーデック３８など、ディスクセットアップモードでは不要なブロックへの電力供給を遮断しても良い。
【図面の簡単な説明】
【００５３】
【図１】本発明の一実施例の概略構成ブロック図である。
【図２】モードスイッチ６２の正面図である。
【図３】ディスクセットアップモードの設定例である。
【図４】本実施例の動作フローチャートの一部である。
【図５】本実施例の動作フローチャートの一部である。
【図６】ディスクフォーマットの選択画面例である。
【図７】警告情報の表示例である。
【符号の説明】
【００５４】
１０  撮像装置
１２  撮影レンズ
１４  絞り
１６  ＣＣＤ撮像素子
１８  ＣＤＳ／ＡＧＣ回路
２０  デジタル信号処理回路
２２  フレームメモリ
２４  画素数調整回路
２６  データバス
２８  マイクロフォン
３０  増幅器
３２  Ａ／Ｄコンバータ
３４  液晶ディスプレイ
３６  液晶ドライバ
３８  ＭＰＥＧコーデック
４０  ビデオ出力端子
４２  ＮＴＳＣエンコーダ
４４  ＤＶＤドライブ
４６  イジェクトモータ
４８  ＤＶＤディスク
５０  ＵＳＢ端子
５２  ＵＳＢコントローラ
６０  操作キー
６２  モードスイッチ群
６４  イジェクトスイッチ
６６  メインマイコン
６８  ＲＡＭ
７０  ＥＥＰＲＯＭ
７２  制御バス
【図１】
2007293994.tif 000003
【図２】
2007293994.tif 000004
【図３】
2007293994.tif 000005
【図４】
2007293994.tif 000006
【図５】
2007293994.tif 000007
【図６】
2007293994.tif 000008
【図７】
2007293994.tif 000009